(57)【要約】【課題】無電源で気温が低い時および高い時に通路を閉じることができる換気装置を提供する。【解決手段】装置本体２０の通路に、羽根（図示しない）が回動可能に支持されている。自動開閉手段５０は、流動体の熱膨張，熱収縮により作動子の突出量を変化させるサーモエレメント５１と、カム６０を有している。カム６０は第１，第２の当接部６１ｘ，６１ｙを有し、羽根の回動軸部に設けられたフォロア部６５は第１，第２の受部を有している。気温が所定温度範囲より低下してサーモエレメント５１の作動子５１ｂが後退した時には、カムが下降して第１当接部６１ｘがフォロア部６５の第１受部を押すことにより、羽根が閉じられる。気温が上記所定温度範囲より上昇した場合には、第２当接部６１ｙがフォロア部６５の第２受部を押すことにより、羽根が閉じられる。【選択図】　図６
2004036901.tif 000002
【特許請求の範囲】
【請求項１】
屋外と屋内を連ねる通路を有する装置本体と、この装置本体に回動可能に支持された羽根と、この羽根を開位置に向けて付勢する付勢手段と、この羽根を気温に応じて回動させて上記通路を開閉させる自動開閉手段とを備え、
上記自動開閉手段は、流動体の熱膨張，熱収縮により作動子の突出量を変化させるサーモエレメントと、このサーモエレメントの作動子の直線移動を上記羽根の回動に変換して羽根の開閉を行うカム機構とを有し、
上記カム機構は、上記サーモエレメントの作動子に追随して直線移動するカムと、上記羽根の回動軸部の一端部に設けられたフォロア部とを備え、上記カムは上記カムの移動方向と交差する方向に対峙する第１，第２の当接部を有し、上記フォロア部は上記カムの第１，第２当接部に対応する第１，第２の受部を有し、これら第１，第２の受部は上記羽根の回動軸線を挟むようにして配置されるとともに、上記羽根が開き位置にある時に上記カムの移動方向と交差する方向に対峙して配置され、
気温が所定温度にある時には上記羽根は付勢手段により開き位置に維持されており、気温が上記所定温度から低下してサーモエレメントの作動子が後退するのに伴いカムが移動する際には、上記第１当接部が上記フォロア部の第１受部を押すことにより、上記羽根が開き位置から閉じ位置に向かって回動され、気温が上記所定温度から上昇してサーモエレメントの作動子が突出するのに伴いカムが移動する際には、上記第２当接部が上記フォロア部の第２受部を押すことにより、上記羽根が開き位置から閉じ位置に向かって回動されることを特徴とする換気装置。
【請求項２】
気温が上記所定温度を含む所定温度範囲内にあり、これに対応して上記カムが所定移動範囲内にある時、上記カムの第１当接部と上記フォロア部の第１受部が離れるとともに、上記カムの第２当接部と上記フォロアの第２受部が離れ、上記羽根が付勢手段により開き位置に維持されることを特徴とする請求項１に記載の換気装置。
【請求項３】
上記羽根は回動軸部から延びる一対の羽根本体部を有し、上記付勢手段により上記羽根が開き位置にある時、一方の羽根本体部が装置本体の通路の屋外側開口に対面しており、屋外からの風圧により上記閉じ方向に回動可能となっていることを特徴とする請求項１または２に記載の換気装置。
【請求項４】
上記羽根は装置本体の垂直をなす筒部に回動可能に支持され、上記羽根の一方の羽根本体部の先端縁には上記付勢手段としての重錘が設けられ、この重錘の重力により上記羽根はほぼ垂直な開き位置に維持されることを特徴とする請求項３に記載の換気装置。
【請求項５】
上記カムは板形状をなして細長いガイド孔を有し、このガイド孔は、カムの移動方向に沿って第１ガイド部，連通部，第２のガイド部を順に有し、これら第１，第２ガイド部はカムの移動方向に直線的に延びるとともにカムの移動方向と直交する方向に互いに偏倚しており、上記連通部には、上記第１，第２の当接部が形成されており、上記装置本体にはこれら第１，第２ガイド部にそれぞれ挿入されるガイドピンが設けられていることを特徴とする請求項１〜４のいずれかに記載の換気装置。
【請求項６】
さらに、装置本体に回動可能に支持されたてこを備え、てこの短尺部が上記サーモエレメントの作動子またはこの作動子と実質的に一体に移動する他の作動子に当たり、てこの長尺部に上記カムが当たり、上記カムはスプリングにより上記てこの長尺部に向かって付勢されていることを特徴とする請求項１〜５のいずれかに記載の換気装置。
【請求項７】
さらに手動開閉手段を備え、この手動開閉手段は、上記羽根の回転軸部の他端部に固定されたレバーと回動機構とを備え、この回動機構は、通常時にはこのレバーが上記自動開閉手段による羽根の回動に連動して回動するのを許容し、手動操作によりこのレバーを回動させることにより、羽根を強制的に閉じることを特徴とする請求項１〜６のいずれかに記載の換気装置。
【発明の詳細な説明】
【０００１】
【発明の属する技術分野】
本発明は、建物の壁，窓，床等に取り付けられて換気を行う装置に関する。
【０００２】
【従来の技術】
高機能型の換気装置は、屋外と屋内とを連ねる通路を有する装置本体と、この装置本体に回動可能に支持された羽根と、この羽根を回動させて上記通路を開閉させる自動開閉手段とを備えている。自動開閉手段は、電動モータを有し、温度センサ等の情報に基づいて羽根の開閉制御を行っている。
【０００３】
【発明が解決しようとする課題】
上記構造の換気装置はモータを装備しているので高価なものとなり、電力を消費するとともにメンテナンスも大変であった。
【０００４】
【課題を解決するための手段】
上記課題を解決するために、本発明の換気装置は、屋外と屋内を連ねる通路を有する装置本体と、この装置本体に回動可能に支持された羽根と、この羽根を開位置に向けて付勢する付勢手段と、この羽根を気温に応じて回動させて上記通路を開閉させる自動開閉手段とを備え、
上記自動開閉手段は、流動体の熱膨張，熱収縮により作動子の突出量を変化させるサーモエレメントと、このサーモエレメントの作動子の直線移動を上記羽根の回動に変換して羽根の開閉を行うカム機構とを有し、
上記カム機構は、上記サーモエレメントの作動子に追随して直線移動するカムと、上記羽根の回動軸部の一端部に設けられたフォロア部とを備え、上記カムは上記カムの移動方向と交差する方向に対峙する第１，第２の当接部を有し、上記フォロア部は上記カムの第１，第２当接部に対応する第１，第２の受部を有し、これら第１，第２の受部は上記羽根の回動軸線を挟むようにして配置されるとともに、上記羽根が開き位置にある時に上記カムの移動方向と交差する方向に対峙して配置され、
気温が所定温度にある時には上記羽根は付勢手段により開き位置に維持されており、気温が上記所定温度から低下してサーモエレメントの作動子が後退するのに伴いカムが移動する際には、上記第１当接部が上記フォロア部の第１受部を押すことにより、上記羽根が開き位置から閉じ位置に向かって回動され、気温が上記所定温度から上昇してサーモエレメントの作動子が突出するのに伴いカムが移動する際には、上記第２当接部が上記フォロア部の第２受部を押すことにより、上記羽根が開き位置から閉じ位置に向かって回動されることを特徴とする。
【０００５】
上記構成によれば、サーモエレメントを用いることにより、低コストかつ無電源で気温に応じた開閉制御を行う換気装置を提供でき、しかも煩雑なメンテナンスを必要としない。また、気温が低い場合のみならず高い場合にも羽根を閉じることができる。
【０００６】
好ましくは、気温が上記所定温度を含む所定温度範囲内にあり、これに対応して上記カムが所定移動範囲内にある時、上記カムの第１当接部と上記フォロア部の第１受部が離れるとともに、上記カムの第２当接部と上記フォロアの第２受部が離れ、上記羽根が付勢手段により開き位置に維持される。これにより、所定温度範囲にわたって、同一の開き位置例えば全開位置を維持できる。
【０００７】
好ましくは、上記羽根は回動軸部から延びる一対の羽根本体部を有し、上記付勢手段により上記羽根が開き位置にある時、一方の羽根本体部が装置本体の通路の屋外側開口に対面しており、屋外からの風圧により上記閉じ方向に回動可能となっている。これにより屋外からの突風の吹き込みを防止することができる。
好ましくは、上記羽根は装置本体の垂直をなす筒部に回動可能に支持され、上記羽根の一方の羽根本体部の先端縁には上記付勢手段としての重錘が設けられ、この重錘の重力により上記羽根はほぼ垂直な開き位置に維持される。これにより、簡単な構造で突風の吹き込みを防止できる。
【０００８】
好ましくは、上記カムは板形状をなして細長いガイド孔を有し、このガイド孔は、カムの移動方向に沿って第１ガイド部，連通部，第２のガイド部を順に有し、これら第１，第２ガイド部はカムの移動方向に直線的に延びるとともにカムの移動方向と直交する方向に互いに偏倚しており、上記連通部には、上記第１，第２の当接部が形成されており、上記装置本体にはこれら第１，第２ガイド部にそれぞれ挿入されるガイドピンが設けられている。これにより、カムをガイドする構造と第１，第２の当接部を含むカム構造とを簡単にすることができる。
好ましくは、さらに装置本体に回動可能に支持されたてこを備え、てこの短尺部が上記サーモエレメントの作動子またはこの作動子と実質的に一体に移動する他の作動子に当たり、てこの長尺部に上記カムが当たり、上記カムはスプリングにより上記てこの長尺部に向かって付勢されている。これにより、サーモエレメントの作動子の移動を増倍してカムに伝達することができる。
【０００９】
好ましくは、さらに手動開閉手段を備え、この手動開閉手段は、上記羽根の回転軸部の他端部に固定されたレバーと回動機構とを備え、この回動機構は、通常時にはこのレバーが上記自動開閉手段による羽根の回動に連動して回動するのを許容し、手動操作によりこのレバーを回動させることにより、羽根を強制的に閉じる。これにより、気温に拘わらずに手動により羽根を閉じることができる。
【００１０】
【発明の実施の形態】
以下、本発明の一実施形態について図面を参照しながら説明する。図１は、建物の窓の床近傍部を示す。符号１ａ，１ｂは、ガラス板２ａ，２ｂを支持するアルミ製の押出型材（以下、単に型材と称す）を示す。これら型材１ａ，１ｂ間には空気を流通させるための通路３が形成されている。さらに型材１ｂの上には補助型材１ｃが設けられ、この補助型材１ｃと上記型材１ａとの間には、上記通路３に連なる通路４が形成されている。
【００１１】
上記型材１ａ，１ｃの室内側の面には、換気装置５が設置されている。この換気装置５は、外部ハウジング１０と内部ハウジング２０とからなる装置本体６を備えている。外部ハウジング１０は、型材１１と、この型材１１の両端を塞ぐ板材１２とを有し、平面四角形の筒形状をなしている。型材１１は断面ほぼＵ字形をなしており、屋外側の垂直をなす壁が上記型材１ａ，１ｃに固定されている。この垂直の壁には開口１１ａ（屋外側の開口）が形成されている。型材１１の上部開口１１ｂ（屋内側の開口）に形成された水平をなす第１載置面１１ｃには、多数の通気口１５ａを有する蓋１５が載せられている。
【００１２】
上記外部ハウジング１０内に、内部ハウジング２０が収容されている。この内部ハウジング２０の内部空間と、外部ハウジング１０の底部空間は、装置本体６の通路８を構成している。この通路８は、開口１１ａ，通路３，４を介して屋外に連なり、開口１１ｂを介して屋内に連なっている。
【００１３】
図２，図３に示すように、内部ハウジング２０は、互いに対峙する一対の型材２１と、この型材２１に図示しないタッピングねじにより固定された一対の型材２２とで平面四角形の垂直をなす筒部を構成している。これら型材２１，２２は、垂直壁２１ａ，２２ａと、この垂直壁２１ａ，２２ａの上端から外に向かって水平に延びるフランジ部２１ａ，２２ａとを有している。型材２１のフランジ部２１ａが、図１に示す外部ハウジング１０の型材１１に形成された第２載置面１１ｄに載せられて固定され、これにより内部ハウジング２０が支持されている。なお、型材２２のフランジ部２２ａは、外部ハウジング１０の開口１１ｂの両端部（図１において紙面と直交する方向の両端部）を塞いでいる。
【００１４】
上記内部ハウジング２０には、羽根３０が回動可能に支持されており、この羽根３０の回動により通路８が開閉されるようになっている。この羽根３０の構造を、図２，図３を参照しながら説明する。羽根３０は点対称形をなす型材からなり、円筒形状の中央筒部３１と、一対の四角形の羽根本体部３２とを有している。中央筒部３１の両端にはシャフト３３，３４が挿入固定されており、これら中央筒部３１とシャフト３３，３４により、回動軸部が構成されている。シャフト３３，３４は、一対の型材２２の垂直壁２２ａの厚肉をなす下部に形成された貫通孔２２ｘに軸受２３を介して挿入支持されている。その結果、中央筒部３１，シャフト３３，３４の中心軸は羽根３０の回動軸線Ｘとなる。
【００１５】
一対の羽根本体部３２は互いに反対方向に延びており、これら羽根本体部３２がほぼ垂直をなす位置で全開位置（開き位置）となり、換気量が最大となる。この全開位置で、下側の羽根本体部３２は、図１に示すように内部ハウジング２０より下方に突出して外部ハウジング１０の底部空間に位置しており、屋外側の開口１１ａと対面している。
【００１６】
上記羽根本体部３２の延び方向は、羽根本体部３２の基端と上記回動軸線Ｘを結ぶ面Ｌと、ほぼ１１０°で交差している。そのため、各羽根本体部３２の一方の面３２ａ（第１面）は９０°未満の角度で交差し、ここにポケット３５が形成されており、他方の面３２ｂ（第２面）は中央筒部３１の外周面と滑らかにほぼ１８０°の角度をなして連なるようになっている。羽根３０の全開位置において、下側の羽根本体部３２の面３２ａと上側の羽根本体部３２の面３２ｂは開口１１ａ側を向き、下側の羽根本体部３２の面３２ｂと上側の羽根本体部３２の面３２ａは開口１１ａと反対側を向いている。
【００１７】
上記羽根本体部３２は、断面ほぼ円弧形状をなすように湾曲しており、上記一方の面３２ａが内側で他方の面３２ｂが外側になっている。羽根本体部３２の一方の面３２ａには回転軸線Ｘ方向に延びる複数のフィン部３７が突出して形成されている。他方の面３２ｂは、上記中央筒部３１の外周面に連なる平滑な湾曲面となっている。
【００１８】
上記羽根本体部３２の先端縁は、小径の円弧形状をなして収容部３８となっている。下側の羽根本体部３２の収容部３８には、線状をなす重錘３９（付勢手段）が収容されている。この重錘３９の自重により、羽根３０はほぼ垂直になる位置（全開位置）に向かって回動付勢され、無風状態でかつ後述のカム機構の拘束を受けない場合には、この全開位置を維持されるようになっている。
【００１９】
上記羽根３０は、図１，図２において上記全開位置から反時計回り方向に回動することにより（本実施形態では６８°回動することにより）、通路８を閉じるようになっている。次に、この閉じ状態の羽根３０をシールする構造について説明する。上記型材２１の垂直壁２１ａの下端には、回動軸線Ｘ方向に延びるシール材４１（シール部，受部）が取り付けられている。上記閉じ状態では、一対の羽根本体部３２の先端縁がこのシール材４１に当たるようになっている。
【００２０】
また、型材２２の下部にも細長い板形状のシール材４２が取り付けられている。図５に示すように、上記シール材４２の中央には貫通孔４２ａが形成され、左右には略三角形をなす凸部４２ｂ（シール部，受部）が形成されている。この凸部４２ｂには受面４２ｘが形成されている。上記一対のシール材４２の貫通孔４２ａには、上記シャフト３３，３４が貫通している。上記受面４２ｘは、上記羽根本体部３２の面３２ｂに対応した湾曲形状をなしており、上記閉じ状態において羽根本体部３２の両端縁の面３２ｂを受けるようになっている。
また、シャフト３３，３４には、環状のシール材４３が嵌められている。このシール材４３は羽根３０とシール材４２との間をシールするようになっている。
【００２１】
上記羽根３０は、図３に示す自動開閉手段５０により気温に応じて開閉され、手動開閉手段７０によっても開閉されるようになっている。自動開閉手段５０は羽根３０の一方のシャフト３３に連携し、手動開閉手段７０は他方のシャフト３４に連携しており、これら開閉手段５０，７０は外部ハウジング１０と内部ハウジング２０との間に配置されている。
【００２２】
まず自動開閉手段５０について図３，図６を参照しながら説明する。この自動開閉手段５０は、サーモエレメント５１を備えている。このサーモエレメント５１は公知であるので詳述しないが、筒形状をなすエレメント本体５１ａと、ピストン５１ｂ（作動子）とを有している。このエレメント本体５１ａの大径をなすケース５１ｘに流動体としてのワックス（図示しない）が収容され、エレメント本体５１ａの小径をなすシリンダ５１ｙに上記ピストン５１ｂがスライド可能に収容されている。
【００２３】
上記サーモエレメント５１は垂直をなした状態で、支持金具５２により、内部ハウジング２０の型材２２の外面に取り付けられている。この支持金具５２は、取付板部５２ａと上部が開放した収容部５２ｂとを有しており、この収容部５２ｂにサーモエレメント５１のケース５１ｘを収容し、収容部５２ｂの底壁にシリンダ５２ｙを貫通させた状態で、取付板部５２ａが上記型材２２に固定されている。型材２２のフランジ部２２ｂにはねじ５３が設けられており、このねじ５３でケース５１ｙの上面を押し付けることにより、サーモエレメント５１が固定されている。
【００２４】
上記サーモエレメント５１のシリンダ５１ｙにはプラスチック製の筒状のカバー５４が被せられている。このカバー５４の底壁には突起５４ａ（作動子）が形成されている。サーモエレメント５１のピストン５１ｂの先端部はシリンダ５１ｙから下方に突出しており、このピストン５１ｂに当たる受板５５とカバー５４の底壁との間には、ばね定数の大きなコイルスプリング５６が収容されている。
【００２５】
上記型材２２の垂直壁２２ａの外面には、ブラケット５７の上端部が固定されており、このブラケット５７の下端部には、てこ５８が揺動可能に支持されている。このてこ５８の短尺部５８ａの上面には上記カバー５４の突起５４ａが当たっている。
【００２６】
さらに、上記型材２２の垂直壁２２ａの外面には、他のブラケット５９の右側部が固定されている。このブラケット５９の左側部が上記垂直壁２２ａ外面と平行をなして離れており、ここに上下方向に細長く延びるカム板６０（板形状のカム）が上下方向に移動可能にして支持されている。
【００２７】
上記カム板６０は、細長いガイド孔６１を有している。このガイド孔６１は、上側の第１ガイド部６１ａと下側のガイド部６１ｂと両者を連ねる中央の連通部６１ｃとを有している。第１ガイド部６１ａと第２ガイド部６１ｂは垂直に延び第１ガイド部６１ａに対して第２ガイド部６１ｂが左にずれている。上記ブラケット５９には、先端に鍔を有する２つのガイドピン６２が上下に離れて取り付けられている。これらガイドピン６２の軸部が上記ガイド孔６１の第１ガイド部６１ａ，第２ガイド部６１ｂにそれぞれ挿入されることにより、カム板６０は上下移動可能にしてブラケット５９に支持されている。
【００２８】
上記カム板６０の上端に形成された爪部６０ａと上記ブラケット５９の下端に形成された爪部５９ａとの間には、引張スプリング６３が掛けられている。この引張スプリング６３によりカム板６０は下方に付勢されて、常時てこ５８の長尺部５８ｂに当たっている。
【００２９】
図７に最も良く示されているように、上記連通部６１ｃにおいて、第１ガイド部６１ａの左側の垂直面の下端と水平面とが交わって形成される角部が第１当接部６１ｘとして提供され、第２ガイド部６１ｂの右側の垂直面の上端と水平面とが交わって形成される角部が第２当接部６１ｙとして提供される。これら第１当接部６１ｘと第２当接部６１ｙは、上下方向に離れているとともに左右方向にも離れている。
【００３０】
一方、羽根３０のシャフト３３の先端部はフォロア部６５となっており、上記ブラケット５９を貫通するとともに、上記ガイド孔６１に挿入されている。上記カム板６０とフォロア部６５とで、カム機構が構成されている。
【００３１】
上記フォロア部６５は、回転軸線Ｘから互いに反対方向に突出する一対の突出部６５ａ，６５ｂを有している。この突出部６５ａ，６５ｂの一方の面が平坦面からなる第１，第２の受部６５ｘ，６５ｙとなっている。これら受部６５ｘ、６５ｙは、羽根３０の回転軸線Ｘと同一平面に位置しており、羽根３０が垂直をなして全開位置にある時、水平をなして回転軸線Ｘの左右に配置され、第１受部６５ｘは上向きとなって第１当接部６１ｘに対峙し、第２受部６５ｙは下向きとなって第２当接部６１ｙに対峙している。
【００３２】
上記自動開閉手段５０による羽根３０の開閉作用について説明する。引張スプリング６３の引張力によりカム板６０は下方に付勢されており、てこ５８は時計回り方向に付勢され、カバー５４は上方に付勢されている。スプリング５６のばね定数は引張スプリング６３のばね定数より大きいので、この引張スプリング６３の力では殆ど縮まない。したがって、サーモエレメント５１のワックスの熱膨張，収縮に伴うピストン５１ｂの垂直方向の移動は、そのままカバー５４の突起５４ａの直線移動となり、この直線移動量がてこ５８により増倍されてカム板６０の垂直方向の直線移動に変換される。このように、カム板６０はサーモエレメント５１のピストン５１ｂに追随して直線移動するようになっている。
【００３３】
気温が適温となる所定温度を含む所定温度範囲ＴＬｘ〜ＴＨｘ内にある時、サーモエレメント５１のピストン５１ｂの突出量は所定範囲であり、カム板６０はこれに応じて所定移動範囲内にある。カム板６０が所定移動範囲にある時、図７に示すようにフォロア部６５はカム板６０のガイド孔６１の連通部６１ｃに収容されており、フォロア部６５の２つの受部６５ｘ，６５ｙは、カム板６０の２つの当接部６１ｘ、６１ｙからそれぞれ離れている。したがって、フォロア部６５はカム板６０に拘束されない。そのため、羽根３０は重錘３９の自重により垂直な全開位置を維持され、通路８を介して良好な換気を行うことができる。
【００３４】
上記全開状態において、屋外で強風が吹き付けられた時に、この強風は図１に示す通路３，４を経、開口１１ａを経て外部ハウジング１０の底部に入り込み、羽根３０の下側の羽根本体部３２に当たる。これにより、羽根３０は反時計回り方向に回動し、図２（Ａ）の全開位置から図２（Ｂ）の全閉位置となる。これにより、強風が屋内に入り込むのを阻止することができる。この際、下側の羽根本体部３２の開口１１ａを向く面３２ａに形成された複数のフィン３７，この羽根本体部３２と中央筒部３１との間に形成されたポケット３５，羽根本体部３２の湾曲形状により、この強風を良好に受け止めることができる。これに対して、上側の羽根本体部３２は屋外からの強風を直接受けず、しかもその屋外側の面３２ｂは、基端から先端に向かって屋内側へ逃げるように湾曲しており、しかも平滑であるので、上記屋外からの風圧を受け止めにくくなっている。その結果、上記閉じ動作を迅速かつ確実に行うことができる。
【００３５】
上記のように羽根３０の閉じ動作は、図７においてフォロア部６５の反時計回りの回動をもたらす。フォロア部６５の突出部６５ａ，６５ｂにおいて受面６５ｘ、６５ｙと反対側の面はガイド部６１ａ，６１ｂの垂直面に対して十分に離れており（羽根３０の全開位置から全閉位置までの回動角度例えば６８°以上の角度をなして離れており）、そのため、上記羽根３０の閉じ動作の支障にはならない。
なお、上記羽根３０の時計回り方向の回動は、羽根３０がシール材４２の屋内側の凸部４２ａに当たることにより、制限される。
【００３６】
屋外で窓に沿って強風が横切る場合には、通路３，４が負圧になり、屋内から屋外へと換気装置５の通路８を経て空気が流れる。この際、上側の羽根本体部３２で風圧を受け、羽根３０は反時計回り方向に回動して閉じる。上側の羽根本体部３２の屋内側の面３２ａに形成された複数のフィン３７，この羽根本体部３２と中央筒部３１との間に形成されたポケット３５，羽根本体部３２の湾曲形状により、この風圧を良好に受け止めることができる。これに対して、下側の羽根本体部３２の屋内側の面３２ｂは、基端から先端に向かって屋内側へ逃げるように湾曲しており、しかも平滑であるので、上記風圧を受け止めにくくなっている。その結果、上記閉じ動作を迅速かつ確実に行うことができる。
【００３７】
羽根３０は回動軸線Ｘを中心にして点対称をなしているので、その重心は回動軸線Ｘ上にある。そのため、上記羽根３０が閉じ動作をする時の風圧の強さは、羽根３０によらず、重錘３９の長さにより設定される。そのため、風圧設定が容易となる。
【００３８】
気温が低下すると、サーモエレメント５１のワックスの収縮に伴い、ピストン５１ｂのエレメント本体５１ａからの突出量が減少し、カム板６０が下降する。そして、気温が下限値ＴＬｘに達すると、カム板６０の第１当接部６１ｘがフォロア部６５の第１受部６５ｘに当たる。さらに気温が低下すると、カム板６０の下降に伴い第１当接部６１ｘが第１受部６５ｘを押すため、フォロア部６５が反時計回り方向に回動し、これに伴い羽根３０が閉じ方向に回動する。
【００３９】
上記のように、気温が上記下限値ＴＬｘを下回り、さらに所定温度ΔＴｘ分低下するまでは、羽根３０は全開位置から閉じ位置に向かって開口面積を減少させる。やがて、気温が（ＴＬｘ−ΔＴｘ）に達すると、図８に示すように羽根３０は全閉位置（閉じ位置）となる。なお、本実施形態では、カム板６０の第１当接部６１ｘがフォロア部６５の第１受部６５ｘに当たった状態で、羽根３０が全閉位置に達し、この時、上側のガイドピン６２がガイド部６１ａの上端に当たり、カム板６０のこれ以上の下降を禁じる。したがって、気温が（ＴＬｘ−ΔＴｘ）をさらに下回っても、図８の状態は変わらない。
【００４０】
上記とは逆に気温が上昇すると、サーモエレメント５１のワックスの膨張に伴い、ピストン５１ｂのエレメント本体５１ａからの突出量が増加し、カム板６０が上昇する。そして、気温が上限値ＴＨｘに達すると、カム板６０の第２当接部６１ｙがフォロア部６５の第２受部６５ｙに当たる。さらに気温が上昇すると、カム板６０の上昇に伴い第２当接部６１ｙが第２受部６５ｙを押すため、フォロア部６５が反時計回り方向に回動し、これに伴い羽根３０が閉じ方向に回動する。
【００４１】
上記のように、気温が上限値ＴＨｘを上回り、さらに所定温度ΔＴｘ’分上昇するまでは、羽根３０は全開位置から全閉位置に向かって開口面積を減少させる。やがて、気温が（ＴＨｘ＋ΔＴｘ’）に達すると、図９に示すように羽根３０は全閉位置となる。なお、本実施形態では、カム板６０の第２当接部６１ｙがフォロア部６５の第２受部６５ｙに当たった状態で、羽根３０が全閉位置に達し、この時、下側のガイドピン６２がガイド部６１ｂの下端に当たり、カム板６０のこれ以上の上昇を禁じる。したがって、気温が（ＴＨｘ＋ΔＴｘ’）をさらに上回っても、図８の状態は変わらない。この際、サーモエレメント５１のピストン５１ｂの更なる突出はスプリング５６の圧縮によって吸収される。
【００４２】
上記のように気温がＴＬｘと（ＴＬｘ−ΔＴｘ）の間にある時、およびＴＨｘと（ＴＨｘ＋ΔＴｘ’）との間にある時には、羽根３０による通路８の開度調整の過程にあり、第１当接部６１ｘが第１受部６５ｘに接しているか、第２当接部６１ｙが第２受部６５ｙに接している。この場合でも、フォロア部６５はカム板６０の拘束を受けずに閉じ方向には回動可能であり、したがって羽根３０は風圧により全閉位置に回動することができる。
【００４３】
次に、羽根３０を手動開閉する手段７０を図３，図１０を参照しながら説明する。この開閉手段７０は、操作ハンドル７１を備えている。この操作ハンドル７１の軸部は型材２２のフランジ部２２ｂを貫通して回転可能に支持されている。この操作ハンドル７１の軸部の下端部には小径のベベルギア７２が固定されており、このベベルギア７２には大径のベベルギア７３が噛み合っている。ベベルギア７３は、上記フランジ部２２ｂの下面に固定されたブラケット７４に回動可能に支持されている。
【００４４】
上記ベベルギア７３には、ベベルギア７３と一体をなして回動するようにして作動板７５が連結されている。この作動板７５の下端部には作動突起７５ａが形成されており、上端部には２つの当接点７５ｂ，７５ｃを有している。これら操作ハンドル７１から作動板７５までの要素により回動機構７６が構成されている。
【００４５】
他方、上記羽根３０のシャフト３４の先端部は、両側がカットされたねじ部７７となっている。このねじ部７７にはレバー７８が固定されている。すなわち、このレバー７８の上端部には上記ねじ部７７の断面形状に合致した孔が形成されており、この孔に上記ねじ部７７が嵌め込まれ、ナット７９で締め付け固定されている。このレバー７８の下端部にはピン８０が固定されている。
【００４６】
さらに、上記型材２２の垂直壁２２ａの外面には、ブラケット８１が固定されており、このブラケット８１には、押圧リンク８２が回動可能に支持されている。この押圧リンク８２はねじりばね８３により回動付勢されている。この押圧リンク８２は、作動板７５の一方の当接点７５ｂに当たることにより、作動板７５を所定位置で、すなわち作動突起７５ａがピン８０から離れた位置で維持するようになっている。
【００４７】
通常は、作動板７５の作動突起７５ａは図１０の実線の位置にあり、この状態では、自動開閉手段５０による羽根３０の開閉制御が行われ、手動開閉手段７０は羽根３０の開閉には無関係である。自動開閉手段５０の制御により羽根３０が開閉すると、これに応じてシャフト３４が回動し、レバー７８が回動する。気温がＴＬｘ〜ＴＨｘの範囲にありしかも無風状態の場合には、羽根３０が全開位置にあり、ピン８０は図１０において実線で示す位置にある。上記温度範囲において強風が生じた時や気温が上昇または低下した時には、羽根３０が閉じるが、この場合にはレバー７８が時計回り方向（図２，図６〜図９において反時計回り方向）に回動し、ピン８０は想像線で示す位置に至る。
【００４８】
気温に関係なく通路８を閉じたい場合には、操作つまみ７１を回す。すると、ベベルギア７２，７３の噛み合いを介して作動板７５が図１０において時計回り方向に回動し、その作動突起７５ａがピン８０を押して、想像線で示す位置まで移動させる。これに伴いレバー７８が図１０において時計回り方向に回動し、シャフト３４，羽根３０が同方向に回動して羽根３０を強制的に閉じ状態にする。上記羽根３０が閉じ位置に達した時に、ちょうど作動板７５の当接点７５ｂ，７５ｃが押圧リンク８２に当たるため、この作動板７５がねじりばね８３の弾性力で維持され、ひいては羽根３０の閉じ状態が維持される。
【００４９】
図１１に示す第２実施形態は、ガイド孔６１’，フォロア部６５’が第１実施形態と異なる。他の構成は同じなので、説明を省略する。ガイド孔６１’の連通部６１ｃ’において、第１ガイド部６１ａ’の左側の垂直面の下端と水平面との境に形成される傾斜縁が第１当接部６１ｘ’として提供され、第２ガイド部６１ｂ’の右側の垂直面の上端と水平面との境に形成される傾斜縁が第２当接部６１ｙ’として提供される。これら第１当接部６１ｘ’と第２当接部６１ｙ’は、上下方向に離れているとともに左右方向にも離れている。
【００５０】
一方、羽根のシャフトの先端部に形成されたフォロア部６５’は、互いに平行をなす平坦面を有している。羽根が全開位置にある時、図１１に示すようにフォロア部６５’の平坦面が２２°傾斜しており、上側の平坦面の左部が第１の受部６５ｘ’として提供され、下側の平坦面の右部が第２の受部６５ｙとして提供される。これら受部６５ｘ’、６５ｙ’は、羽根が全開位置にある時、回転軸線Ｘを挟んで左右に配置され、第１受部６５ｘ’は上向きとなって第１当接部６１ｘ’に対峙し、第２受部６５ｙ’は下向きとなって第２当接部６１ｙ’に対峙している。
【００５１】
上記カム機構の作用は第１実施形態と同様であるので詳述しないが、気温が下降して羽根が全閉位置になった時、フォロア部６５の一対の平坦面が垂直となり、一方の平坦面がガイド部６１ａの左側の垂直面に接し、気温が上昇して羽根が全閉位置になった時、フォロア部６５の一対の平坦面が垂直となり、他方の平坦面がガイド部６１ａの左側の垂直面に接する。
【００５２】
上記２つの実施形態とも、所定温度範囲において、カム機構が羽根を拘束していないが、最適温度Ｔｍ（ＴＬｘ＜Ｔｍ＜ＴＨｘ）でのみ拘束せず、これより気温が上昇，下降した時には通路の開度調整を行うようにしてもよい。この場合、この最適温度Ｔｍに対応するカム位置で、第１当接部が第１受部に接するとともに、第２当接部が第２受部に接する。
【００５３】
さらに本発明は上記実施形態に制約されず、種々の形態を採用可能である。例えば、サーモエレメントの作動子が直接てこに当たっていてもよい。羽根を全開位置に向かって付勢する手段は羽根に設けられたスプリングであってもよい。
装置本体の通路の屋内側開口は図１において右側に位置してもよい。この場合、羽根が全開位置にある時、上側の羽根本体部が屋内側開口に対面することになる。
【００５４】
【発明の効果】
以上説明したように本発明によれば、サーモエレメントを用いることにより、低コストかつ無電源で気温に応じた開閉制御を行う換気装置を提供でき、しかも煩雑なメンテナンスを必要としない。また、気温が低い場合のみならず高い場合にも羽根を閉じることができる。
【図面の簡単な説明】
【図１】本発明の第１実施形態の換気装置を組み込んだ建物の窓近傍部の構造を示す縦断面図である。
【図２】同換気装置の要部を拡大して示す縦断面図であり、（Ａ）は羽根の全開状態．（Ｂ）は羽根の全閉状態をそれぞれ示す。
【図３】図２（Ａ）においてＩＩＩ−ＩＩＩ線に沿う縦断面図である。
【図４】図２（Ａ）においてＩＶ−ＩＶ線に沿う縦断面図である。
【図５】羽根の両端縁をシールするシール材の正面図である。
【図６】図３において自動開閉手段を矢印Ｖ１方向から見た図である。
【図７】気温が適温範囲にある時の、自動開閉手段のカム機構の状態を示す図である。
【図８】気温が適温範囲より低い時の、自動開閉手段のカム機構の状態を示す図である。
【図９】気温が適温範囲より高い時の、自動開閉手段のカム機構の状態を示す図である。
【図１０】図３において手動開閉手段を矢印Ｚ方向から見た図である。
【図１１】本発明の第２実施形態をなすカム機構を示す図である。
【符号の説明】
５　換気装置
８　通路
１１ａ　屋外側開口
１１ｂ　屋内側開口
３０　羽根
３１　中央筒部（回動軸部）
３２　羽根本体部
３２ａ　第１面
３２ｂ　第２面
３３，３４　シャフト（回動軸部）
３５　ポケット
３７　フィン
３８　収容部
３９　重錘（付勢手段）
４１　シール材（シール部，受部）
４２ｂ　凸部（シール部，受部）
５０　自動開閉手段
５１　サーモエレメント
５１ｂ　ピストン（作動子）
５４　カバーの突起（作動子）
５８　てこ
５８ａ　短尺部
５８ｂ　長尺部
６０　カム板
６１　ガイド孔
６１ａ　第１ガイド部
６１ｂ　第２ガイド部
６１ｃ　連通部
６１ｘ　第１当接部
６１ｙ　第２当接部
６５　フォロア部
６５ｘ　第１受部
６５ｙ　第２受部
７０　手動開閉手段
７６　回動機構
７８　レバー
Ｘ　回動軸線
【図１】
2004036901.tif 000003
【図２】
2004036901.tif 000004
【図３】
2004036901.tif 000005
【図４】
2004036901.tif 000006
【図５】
2004036901.tif 000007
【図６】
2004036901.tif 000008
【図７】
2004036901.tif 000009
【図８】
2004036901.tif 000010
【図９】
2004036901.tif 000011
【図１０】
2004036901.tif 000012
【図１１】
2004036901.tif 000013